(57)【要約】【課題】コンピュータの処理速度の高速化に伴ってマイクロプロセッサなどからの発熱が更に大きくなるが、この熱を速やかに機外に排出する必要がある。【解決手段】従来、コンピュータにおける排熱は電源に設けたファンによる空冷がなされていたが、本発明は、この電源内に水冷式のラジエータ４と冷却水用のポンプ５を装着し、一方、受熱板８をマイクロプロセッサ１０などコンピュータ内の発熱部品の上面に熱伝導状態で装着し、前記ラジエータとポンプと受熱板をパイプで環状につなぎ冷却水を循環させる。これによって、マイクロプロセッサ１０などの発熱は受熱板に伝わり、その内部に流れる液体がラジエータに至り電源の筐体中にあるファン３でその熱を機体外に排出する構成とした。【選択図】      図４
2005122397.tif 000002
【特許請求の範囲】
【請求項１】
コンピュータの筐体内において、ＣＰＵなどの発熱体に熱的に接触させた水冷用ヒートシンク（受熱板）に液体用ポンプおよびパイプを介してラジエータを相互に通水可能に接続したことを特徴とするコンピュータの冷却装置。
【請求項２】
コンピュータの筐体内に備えられたＣＰＵなどの発熱部品に熱的に接触させた水冷用ヒートシンクに液体用ポンプおよびパイプを介して通水可能に接続されたラジエータが、ＡＴ／ＡＴＸ等の電源用筐体内またはその筐体に近接して装着されていることを特徴とする請求項１記載のコンピュータの冷却装置。
【請求項３】
コンピュータの筐体内に備えられたＣＰＵなどの発熱部品に熱的に接触させた水冷用ヒートシンクに液体用ポンプを介してパイプにより通水可能に接続されたラジエータが、空きメモリ用スロットに挿入されることを特徴とする請求項１記載のコンピュータの冷却装置。
【請求項４】
コンピュータの筐体内に備えられたＣＰＵなどの発熱部品に熱的に接触させた水冷用ヒートシンク、または、水冷用ヒートシンクに接続されたラジエータが、水槽と通水可能に接続されたことを特徴とする請求項１ないし請求項３記載のコンピュータの冷却装置。
【発明の詳細な説明】
【技術分野】
【０００１】
本発明は、コンピュータに内蔵されているマイクロプロセッサなどの発熱体を効率よく冷却する冷却装置に関する。
【背景技術】
【０００２】
コンピュータの処理速度に関しては、より高速化が要求されているのが現状で、これに伴ってＣＰＵなどマイクロプロセッサに加えられる電流も５０〜１００Ｗと大きくなろうとしている。この電流の増加はそのマイクロプロセッサなどの発熱体を益々高温化することになり、その結果、マイクロプロセッサ自体の作動に悪影響を与えることは必定で、現在のコンピュータに装置されている送風ファン程度の冷却では解決し得ない問題となる。
【０００３】
このようなコンピュータの心臓部としてのＣＰＵ等の発熱に対する冷却手段として、（ａ）発熱体にヒートシンクを接触させ、このヒートシンクに冷却風を吹き付けるファンを装置して空冷するもの、（ｂ）発熱体にヒートパイプの一端を接触させ他端をヒートシンクに熱授受可能に配設した構成のものなど、種々がある。しかし、これらはコンピュータの筐体の中に放熱部材用のスペースを新たに設けて組み込むというコンピュータの筐体内の設計変更を必要としており、汎用性を持ったものではなかった。
【特許文献１】特開２００３−２０９３８５  公報
【特許文献２】特開２０００−２７７９６３  公報
【発明の開示】
【発明が解決しようとする課題】
【０００４】
前記のように、コンピュータやパソコンの作動が高速度化するに伴ってＣＰＵなどの温度は急上昇するが、これを空冷方式によって冷却することは殆ど不可能であると考えられる。本発明は更なる冷却効果を得られるように水冷方式を採用し、且つ、汎用性のある装置を提供するものである。
【課題を解決するための手段】
【０００５】
本発明は、コンピュータの筐体内に備えられたＣＰＵなどの発熱体に水冷用のヒートシンクを熱的に接触させ、そのヒートシンク（受熱板）に液体用ポンプを介しパイプにより相互に水が流通する状態でラジエータ（放熱板）を付設し、これを該筐体内に装着することを手段としてコンピュータ内の発熱部品を効率よく冷却しようとするものである。
【０００６】
請求項２の発明においては、コンピュータの筐体内に備えられたＣＰＵなどの発熱体に熱的接触をさせたヒートシンクに液体用ポンプを介しパイプで接続されたラジエータが、ＡＴ／ＡＴＸ等の電源用筐体内に、またはその近傍に装着せられることを手段として、該電源用筐体に付設の送風ファンの通風を利用し発熱部品の冷却を図ったものである。
【０００７】
請求項３の発明においては、コンピュータの筐体内に備えられたＣＰＵなどの発熱体に熱的接触をさせたヒートシンクに、液体用ポンプを介しパイプで接続されたラジエータが、空きメモリスロットに挿入せられることを手段とし、電源用筐体に付設の送風ファンの通風により発熱部品の効率的な冷却を図ったものである。
【０００８】
請求項４の発明においては、コンピュータの筐体内に備えられたＣＰＵなどの発熱部品に熱的に接触させた水冷用ヒートシンク、または、水冷用ヒートシンクに接続するラジエータが、水槽に接続し、水槽中の水をヒートシンクに循環させる構成としてＣＰＵなどをより良く冷却できるものとした。
【発明の効果】
【０００９】
本発明においては、コンピュータに必須とされるＡＴ／ＡＴＸなどの電源の筐体に，または空きメモリスロットにラジエータを組み込む構成としたため、コンピュータの筐体内に余分な空間を必要としないものであり、また、現在市販のコンピュータにおいてＣＰＵなど発熱部の上方には十分な空間が形成されているので、このスペースに水冷ヒートシンクを納めることが可能であり、したがって、従来設計のコンピュータに本発明の冷却装置を配置するためには設計を変更する必要がなく、また、電源も既設のものが利用できるなどで簡単な取り付作業により装着できるものとなった。
【発明を実施するための最良の形態】
【００１０】
既存のコンピュータにおいて、その筐体内の空所であるＣＰＵの上面にヒートシンクを熱的接触状態で装着し、これに液体用ポンプを介してパイプで接続されたラジエータを他の空所である電源筐体近傍または空きメモリスロットに組み込むことによりコンピュータ筐体内の基本的な設計変更なくしてＣＰＵなどの冷却が実現できる。
【実施例】
【００１１】
本発明の実施例の１例について図面を参照して説明する。仮想線によって表示したコンピュータ１の筐体内部にはＡＴ／ＡＴＸなどの電源用筐体２が内装されている。この電源用筐体２の中には電源装置とモータ（共に図示していない）を伴ったファン３が付設されていて、このコンピュータ装置から発する熱を筐体外に排出している。
【００１２】
ラジエータ４は特に形状を問うものではないが、例えば銅パイプなどを蛇行状に形成して面板状とし、或いは更に該パイプに多数のフィンを設けるなどしたものであり、このラジエータ４と冷却液吐出ポンプ５とを前記の電源用筐体２内またはその近傍に装着する。そのラジエータ４から突出する冷却液出入用通水管６、６は、その一方には前記の水冷用ポンプ５を介し、他方は直接に筐体の外部に導出され、出入口７，７とされる。
【００１３】
一方、コンピュータ１の筐体内に装着された発熱性部品たとえば半導体ＩＣ、マイクロプロセッサ、ＣＰＵ１０等の上面には水冷式ヒートシンクなどの受熱板８が熱伝導性接着剤などにより熱的に接触した状態で装着される。この受熱板８は銅、アルミにユームなどの熱伝導性のよい材料によって製作されたもので、且つ、該受熱板８自体を冷却するための水冷孔８ａが形成されており、その水冷孔８ａの両端は通液パイプ９，９を介して前記ラジエータ４から導出された出入口７，７に接続される。これによって、前記のラジエータ４と冷却液吐出用ポンプ５および受熱板８は冷却液用通水管６、６によって環状につながり、この系内に冷却液が充満される。そして前記水冷却液吐出用ポンプ５を作動させることにより冷却液が循環することになる。なお、図示していないが、冷却液用通水管６等の系内に冷却液の補充用注水口を設けておくことは勿論である。
【００１４】
このようにして循環する冷却液は、マイクロプロセッサ、ＣＰＵ１０などの発熱部品からの熱をヒートシンクなどの受熱板６を介して受けとる。これによって温度上昇した冷却液はラジエータ４に至り、ここで電源の筐体内にあるファンによって空冷され、その空気はコンピュータ１の外部に排出されることになる。
【００１５】
実施例の２は、前記のラジエータ４をコンピュータ１内の図示していないメモリスロットに立設させるもので、受熱板６は前記と同様にマイクロプロセッサ、ＣＰＵ１０などの発熱部品の上に熱的接触状に装着される。この場合も該ラジエータ４のために特別なスペースを必要としないで、前記コンピュータ１内の電源筐体内にあるファンによって空冷されることになる。
【００１６】
実施例の３は、コンピュータ１のＣＰＵなど発熱体に熱的に接触させた水冷用ヒートシンクと直接に、または、該水冷用ヒートシンクにラジエータを介して鑑賞用金魚鉢などの水槽１１を通水可能に接続したものである。この水槽１１はコンピュータ１の筐体と一体的に形成（図３）しても良く、また、筐体外に独立して設置しても良い。この外置きタイプにおいては、コンピュータ１側と水槽側１１との接続に止水型コンセントを装着したホース１１ａ，１１ａの使用が望ましい。以上によって、ＣＰＵ１０等の熱は水槽の水によって効率よく冷却される。水槽の水は若干温度が上昇するが、熱帯魚など野の飼育には支障がなく、また、イミテーションの魚、藻を飾った観賞用水槽として設置しても作業疲れを癒す効果が得られるものである。なお、図４において、１２はディスプレイ、１３，１４は入出力装置である。
【産業上の利用可能性】
【００１７】
従来、コンピュータ１内部における発熱性部品の上部には放熱を容易にするための空間が設けられているのが通例であり、したがって、この空間に受熱板を装着することはコンピュータの部品配置なり筐体仕様を変えることなくして可能である。また、ＡＴ／ＡＴＸなど電源の筐体が内装されることも勿論で、この電源用筐体にラジエータとモータを組み込んでおけば前記と同様、コンピュータの筐体仕様を変えることなく装着が可能となる。このように、本発明に係るコンピュータの冷却装置は汎用性を有するものである。
【００１８】
前記、実施例３においては、コンピュータ操作に疲れた眼を金魚鉢にもっていくことにより疲れが癒され、しばしの気分転換が図れるなど健康面を配慮したコンピュータが作製できることになる。
【図面の簡単な説明】
【００１９】
【図１】本発明に係るコンピュータ冷却装置の斜視図である。
【図２】受熱板の斜視図である。
【図３】コンピュータの筐体に水槽を一体形成した状態を示す斜視図である。
【図４】コンピュータに水槽を接続した状態を示す斜視図である。
【符号の説明】
【００２０】
１    コンピュータ
２    電源用筐体
３    ファン
４    ラジエータ
５    冷却液吐出用ポンプ
６    冷却液出入用通水管
７    冷却水の出入口
８    受熱板
９    通液パイプ
１０  ＣＰＵ
１２  ディスプレイ
１３，１４  入出力装置
【図１】
2005122397.tif 000003
【図２】
2005122397.tif 000004
【図３】
2005122397.tif 000005
【図４】
2005122397.tif 000006